(57)【要約】【目的】  網に入った玉を数える時は、一旦、受具全部を倒して網から一個ごと取りだし数える方法で行なっている。球受具を倒すことなく、入れられた球数を数えることができる球入れ競技用玉受具を提供するものである。【構成】上部端寄りの適宜所に掛具を付設し、長手方向全長の中心より上部を支承枠体に回動自在に吊設した玉受篭と、この玉受篭を上端に固定した支柱と、  前記玉受具の低部に当接する固定板と、この板と支承枠を跨いで連結板で一体的とし、且つ、上下動自在に支柱を挿着して支柱上端に設けられる上部外短管と、  この上部外短管の下方から押上げる、支柱を挿着した下部外管とから構成されることを特徴とし、また、支承枠を上端に固定した支柱は１本で、この支柱を挿着した下部外管を２本で構成し、競技協会規定の高い位置でも対応できるようにしている。【選択図】  図３
2005137843.tif 000002
【特許請求の範囲】
【請求項１】
上端縁寄りの適宜所に掛具１６を付設し、長手方向全長の中心より上部を支点にして支承枠１３に回動自在に吊設した玉受篭１４と、
支承枠を上端に設けた支柱１２と、
この支柱１２を起立状態に保持する土台盤１１に設けた基部支柱２１と、
前記篭の底面を、押当接する固定板３１と、この板と一体的に上下動するよう支承枠を跨いで連結板３３を架設して連結され、且つ前記支柱１２を挿着し、この支柱上端に取付けられる上部外短管３４と、
該上部外短管を下方から押上げる、支柱１２を挿着した下部外管２３とから構成されることを特徴とする球入れ競技用球受具。
【請求項２】
玉受篭が取付けられた支承枠を上端に設けた支柱は１本で、この支柱１２を挿着した下部外管は２本で構成される請求項１記載の球入れ競技用球受具。
【発明の詳細な説明】
【発明の詳細な説明】
【技術分野】
【０００１】  本発明は運動会などで行なわれる球入れ競技に使用される球入れ競技用の球受具に関するものである。
球入れ競技は、幼稚園の運動会から町内対抗の体育祭まで、巾広く行なわれている人気の高い種目である。
そこで、本発明は運動会や体育祭、更には球入れ競技規定（日本球入れ競技協会・民間非営利任意団体）にも適合するよう発明されたものである。
【背景技術】
【０００２】  上記機種の代表的な従来品は、実用新案公開昭５２−４４８７３号が最も良く知られている。該考案は、下端を開閉自在可能に緊締紐を取付けた受網の枠と、この枠に吊設した取付管に嵌る管を有する安定盤と、枠と安定盤の間に数本の伸縮管を介在させた現在では基本的なものである。
【発明が解決しようとする課題】
【０００３】  したがってこの方法は、受網に入った玉を数える時、一旦、全部を地表に倒し、受網から一個ごと取りだし数える方法で行なっていた。更には設置位置によっては受網が風などで揺れ動き競技上の公正さに欠ける一面もあった。
そこで本発明は、これらの問題点を取除いた球入れ競技用球受具を提供しようとするもので、球受具を倒すことなく、入れられた球数を数えることができ、且つ設置位置による不利益が出ることが無いものを提供するものである。
【課題を解決するための手段】
【０００４】  本発明の球入れ競技用玉受具は、前記目的を達成するために、上端縁寄りの適宜所に掛具１６を付設し、長手方向全長の中心より上部を支点にして支承枠１３に回動自在に吊設した玉受篭１４と、
支承枠を上端に設けた支柱１２と、
この支柱１２を起立状態に保持する土台盤１１に設けた基部支柱２１と、
前記篭の底面を、押当接する固定板３１と一体的に上下動するよう支承枠を跨いで連結板３３を架設して連結され、且つ前記支柱１２を挿着し、この支柱上端に取付けられる上部外短管３４と、
該上部外短管を、下方から押上げる支柱を挿着した下部外管２３とから構成して、解決するための手段としている。
【０００５】  また、この支柱１２を挿着した下部外管を２本で構成し、目的達成を確実なものとしている。
【作用】
本発明は、以上のような構成を有する球入れ競技用球受具を提供するものであるから、競技開始前、下部外管の先端が、上部短外管に接するまで押上げ、更にはこの上部外短管をも押上げ、更に、この管と支承枠を跨いで連結され、動きが一体的となっている固定板も同時に篭底部に向けて押上げ、該篭を下方から押当接して固定する。
競技終了後、篭に入れられた玉数を数える時は、下部外管を固定しているピンを緩めて該柱を下げれば、上部外短管及びこの管と支承枠を跨いで連結板で動きが一体的となっている当板及び固定板も、自重で同時に下がり、篭底部を下方から固定していた状態は解除される。さすれば、篭は支承枠に回動自在に吊設されているので、上端縁寄りに付設された掛具に設けられている紐を（図示省略）引けば、篭は支持ピンを軸に回転し内部の玉は全て外に落下する。
【発明を実施するための最良の形態】
【０００６】  本発明の球入れ競技用球受具の実施の形態について図面を参照して詳細に説明する。本発明は主要な五つの要素で構成され、第一、第二の要素は図２に示した、球受篭と支柱である。
第一の要素は、上部端寄りの適宜所に紐などが取付けられる掛具１６を付設し、縦長手方向全長の中心より上部を支点にして支承枠１３に支持ピン１５で回動自在に吊設した玉受篭１４である。【０００７】  第二の要素は、支承枠を上端に設けるとともに、支承枠との間に補強支板１７を取付けた支柱１２である。【０００８】  第三の要素は、図６の該支柱１２を起立状態に保持する土台盤１１に設け、固定ピン２２を備えた基部支柱２１である。【０００９】  第四の要素は、図３と図４にその作動状態を示した上部外短管３４で、この管の構成は、前記篭の底面を下方から押当接する固定板３１と、この板に取付けられた当板３２と、これらと一体的に上下動可能に支承枠を跨いで連結板３３を架設して連結されていて、且つ前記支柱１２を挿着し、その支柱の上端に取付けられている。
第五の要素は、図５の前記上部外短管を下方から押上げる支柱を１２挿着した下部外管２３である。
尚、図１は最も良く知られている従来品の球入れ競技具である。【００１０】  念の為説明すれば、図５の下部外管以外に、更にもう１本、下方に外管が設けられることもあるが、何れも支柱１２を嵌め挿着されることに変りは無い。【００１１】  本発明は以上のような部材で構成されたものであるから、球入れ競技を開始する時は、支柱１２を基部支柱２１に植立させ、固定ピン２２で固定するとともに、下部外管２３の上端が上部外短管３４に当接し、且つこの上部外短管に、支承枠を跨いで一体的に連結されている固定板３１が、篭の底部に直接的に接して、篭の回動を停止固定するまで上方に持上げ、固定ピン２４でこの状態を固定する。【００１２】  競技が終了して、篭の中に入れられた球数を数える時は、固定ピン２４を緩めて下部外管２３を固定状態から開放して、該支柱を下げれば、これによって押上げられていた固定板３１が自重で自然落下し、篭の外底部から離れ、篭の固定状態は解除されので、篭は支持ピンを軸に回動自在となる。そこで、篭の上端縁付近に付設されている掛具に取付けられている紐を下方に引けば、篭は回転し、中に入っている球は全て自然落下することとなり、引いている紐を離せば球受篭は自動的に最初の状態に復元するところとなる。【００１３】  日本球入れ競技協会（非営利民間任意団体）の競技規定によれば、篭の地表からの高さは、成人クラスは４ｍ１２ｃｍ、少年クラスは３ｍ５ｃｍと定められている。
したがって本発明では、特に成人クラス競技に置いても、球受篭の固定及び固定解除作動が容易に行うことが必要なケースを想定し、支柱２１に嵌め込み挿着し、ピンで固定して使用される下部外管を、通常の身長の人でも使用できるように２本で構成することも権利としている。
【発明の効果】
【００１４】  本発明は以上説明のように、上端縁寄りの適宜所に掛具を付設し、縦長手方向全長の中心より上部を支承枠に支持ピンで回動自在に吊設した玉受篭と、この玉受篭を取付けた支承枠を、上端に取付けた支柱と、この支柱を嵌め込んで挿着し、玉受篭の低部に当接する固定板と、一体的に上下動自在に支柱上端に設けられる上部外短管と、支柱を嵌め込んで挿着し、上部外短管を下方から押上げる下部外管と、支柱を起立状態に保持する基部支柱とから構成されたものであるから、以下の効果を奏する。
【００１５】  上端縁部の掛具に取付けられている紐を引けば、玉受篭に入っている玉は全て落下するので、一旦全部を倒さずに球数を数えることができるので競技の進行がスピーディーに行うことができる。
【００１６】  持上げ固定している下部外管の固定ピンを緩めるだけで、玉受篭は回動自在となるので、玉受篭の地表からの位置が規定されているような競技会で使用する時は、下部外管を２本で構成すれば４ｍ以上の高さにも対応できる効果を奏する。
【００１７】  地表からの位置が規定され４ｍ以上の高さの競技会では、支柱を倒さずに球数を数えることができることは、安全性を向上させる上でその効果は高い。
【図面の簡単な説明】
【図１】最も良く知られている従来品を示す図である。
【図２】支承枠に吊設した玉受篭と、支承枠を上端に設けた支柱を示す図である。
【図３】玉受篭を固定した状態を示す一部切欠の作動説明図である。
【図４】玉受篭の固定を解除した状態を示す一部切欠の作動説明図である。
【図５】図２の支柱が嵌められ挿着され、玉受篭を固定する役目を果たす上部外短管の説明図である。
【図６】図２の支柱が起立状態で保持される基部支柱の説明図である。
【符号の説明】
１１土台盤    １２支柱    １３支承枠    １４玉受篭    １５支持ピン
１６掛具    １７補強支板
２１基部支柱    ２２固定ピン    ２３下部外管    ２４固定ピン
３１固定板    ３２当板    ３３連結板    ３４上部短外管
【図１】
2005137843.tif 000003
【図２】
2005137843.tif 000004
【図３】
2005137843.tif 000005
【図４】
2005137843.tif 000006
【図５】
2005137843.tif 000007
【図６】
2005137843.tif 000008